【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
被係合部が形成されるグリップ部材を着脱可能なグリップ装着部が形成される撮像装置であって、
前記被係合部と係合することのできる係合部が形成され、前記係合部が前記被係合部と係合しない第１の位置、前記係合部が前記被係合部と係合し、前記グリップ部材と前記撮像装置との間に隙間が形成される第２の位置、前記係合部と前記被係合部とが係合し、前記第２の位置より前記隙間が小さくなる第３の位置に移動する移動部材と、
一部分が前記グリップ装着部の投影面内に配置され、前記移動部材と係合することで前記移動部材を前記第１の位置に保持する保持部材と、
前記移動部材を前記第３の位置に向けて付勢する付勢部材と、
開閉可能な蓋体と、を有し、
前記グリップ部材が前記グリップ装着部に装着されることで、前記保持部材と前記移動部材との係合が外れ、前記付勢部材の付勢力によって前記移動部材が前記第１の位置から前記第２の位置に移動し、その後、前記移動部材を前記第２の位置から前記第３の位置に移動させ、
前記蓋体が閉状態となるときに、前記蓋体で覆われる部分に前記移動部材の操作部が配置され、
前記蓋体を開状態から前記閉状態にする際に、前記移動部材を前記第２の位置から前記第３の位置に移動させることを特徴とする撮像装置。
【請求項２】
前記操作部が操作されることで、前記付勢部材の付勢力に抗して前記移動部材が前記第２の位置から前記第１の位置に移動し、前記保持部材が前記移動部材と係合することを特徴とする請求項１に記載の撮像装置。
【請求項３】
前記グリップ装着部は、前記撮像装置の前面に形成され、
前記蓋体は、前記撮像装置の底面に形成されていることを特徴とする請求項１または２に記載の撮像装置。
【請求項４】
前記蓋体は、バッテリを収納可能なバッテリ収納部を開閉する蓋体であることを特徴とする請求項１から３のいずれか１項に記載の撮像装置。
【手続補正２】
【補正対象書類名】明細書
【補正対象項目名】０００７
【補正方法】変更
【補正の内容】
【０００７】
本発明の一側面としての撮像装置は、被係合部が形成されるグリップ部材を着脱可能なグリップ装着部が形成される撮像装置であって、前記被係合部と係合することのできる係合部が形成され、前記係合部が前記被係合部と係合しない第１の位置、前記係合部が前記被係合部と係合し、前記グリップ部材と前記撮像装置との間に隙間が形成される第２の位置、前記係合部と前記被係合部とが係合し、前記第２の位置より前記隙間が小さくなる第３の位置に移動する移動部材と、一部分が前記グリップ装着部の投影面内に配置され、前記移動部材と係合することで前記移動部材を前記第１の位置に保持する保持部材と、前記移動部材を前記第３の位置に向けて付勢する付勢部材と、開閉可能な蓋体と、を有し、前記グリップ部材が前記グリップ装着部に装着されることで、前記保持部材と前記移動部材との係合が外れ、前記付勢部材の付勢力によって前記移動部材が前記第１の位置から前記第２の位置に移動し、その後、前記移動部材を前記第２の位置から前記第３の位置に移動させ、前記蓋体が閉状態となるときに、前記蓋体で覆われる部分に前記移動部材の操作部が配置され、前記蓋体を開状態から前記閉状態にする際に、前記移動部材を前記第２の位置から前記第３の位置に移動させることを特徴とする。
【手続補正３】
【補正対象書類名】明細書
【補正対象項目名】００２１
【補正方法】変更
【補正の内容】
【００２１】
第１の移動部材６０２には、第１の係合部６０２１と、円柱状の凸形状の係合突起６０２５と、ひっかけ部６０２７と、ストッパ６０２８が設けられている。また、第１の移動部材６０２には、長孔６０２３と、小径長孔部と大径孔部が連結したカギ孔６０２４と、ビス穴６０２６が形成されている。カギ孔６０２４の大径孔部は、ベース部材６０１のＴ字のボス６０１２の大径頭部の径より大きくなるように形成されている。また、カギ孔６０２４の小径長孔部の溝幅は、Ｔ字のボス６０１２の小幅リブ部より大きくなるように形成されている。
【手続補正４】
【補正対象書類名】明細書
【補正対象項目名】００２２
【補正方法】変更
【補正の内容】
【００２２】
第２の移動部材６０３には、第２の係合部６０３１と、軸部６０３４が設けられており、また、孔部６０３３が形成されている。
【手続補正５】
【補正対象書類名】明細書
【補正対象項目名】００３６
【補正方法】変更
【補正の内容】
【００３６】
図７（ａ）の状態において、保持部材６０５に設けられた規制部６０５２は、本体部分６０５１面に対して、ベース部材６０１側へ斜めに曲げられている。このため、ベース部材６０１に組み込まれると、規制部６０５２は第１の移動部材６０２側に付勢される状態となる。すなわち、規制部６０５２は、図８（ａ）の矢印方向に付勢されている。このとき、規制部６０５２の面６０５２１が第１の移動部材６０２に設けられた係合突起６０２５の先端６０２５１に当接している。
【手続補正６】
【補正対象書類名】明細書
【補正対象項目名】００４０
【補正方法】変更
【補正の内容】
【００４０】
第１の移動部材６０２を図７（ａ）の状態から図７（ｂ）の状態に移動すると、第１の移動部材６０２の移動に連動して、第１の移動部材６０２に形成された長孔６０２３に係合された第２の移動部材６０３に設けられた軸部６０３４も移動する。すなわち、第２の移動部材６０３は、軸６０１１を中心に、図５（ｂ）の状態から図５（ａ）の状態となるように、図５（ａ）の矢印方向に回転する。
【手続補正７】
【補正対象書類名】明細書
【補正対象項目名】００４９
【補正方法】変更
【補正の内容】
【００４９】
金属板５２の両端には、一対の被係合部５２１、５２２が形成されている。被係合部５２１の内側には、当接面５２３が形成されている。被係合部５２２の内側には、当接面５２４が形成されている。また、金属板５２には、第１の押圧面５２５と、第２の押圧面５２６と、第３の押圧面５２７が形成されている。第１の押圧面５２５は、グリップ装着部６０１０の投影面内に配置される規制部６０５２の面６０５２３と当接する。すなわち、保持部材６０５に形成される規制部６０５２の面６０５２３は、グリップ装着部６０１０の投影面内に配置される保持部材の一部分として機能する。また、第２の押圧面５２６は、保持部材６０５に形成された第１のグリップ付勢部６０５３と当接する。第３の押圧面５２７は、保持部材６０５に形成された第２のグリップ付勢部６０５４と当接する。
【手続補正８】
【補正対象書類名】明細書
【補正対象項目名】００５７
【補正方法】変更
【補正の内容】
【００５７】
また、図１４（ｇ）は図１４（ａ）に対して撮像装置１０と大型グリップ５０のグリップ部５１とグリップ装着ユニット６０のベース部材６０１を表示した正面図である。図１４（ｈ）は図１４（ｇ）のＡ２−Ａ２部断面図である。図１４（ｉ）は図１４（ｈ）のｉ部拡大図である。
【手続補正９】
【補正対象書類名】明細書
【補正対象項目名】００６５
【補正方法】変更
【補正の内容】
【００６５】
図１６（ｂ）は図１６（ａ）のｂ部拡大図、図１６（ｃ）は図１６（ａ）で示したＡ−Ａ断面図、図１６（ｄ）は図１６（ｃ）のｄ部拡大図、図１６（ｅ）は図１６（ｃ）のｅ部拡大図である。また、図１６（ｆ）は、図１６（ｄ）の状態に大型グリップ５０のグリップ部５１とグリップ装着ユニット６０のベース部材６０１を表示した図である。
【手続補正１０】
【補正対象書類名】明細書
【補正対象項目名】００７３
【補正方法】変更
【補正の内容】
【００７３】
１０            カメラ本体
４０            小型グリップ
４２１、４２２  第１の被係合部
４２３、４２４  第２の被係合部
５０            大型グリップ
５２１、５２２  第１の被係合部
５２３、５２４  第２の被係合部
６０１０        グリップ装着部
６０２          第１の移動部材
６０２１        第１の係合部
６０３          第２の移動部材
６０３１        第２の係合部
６０４          付勢部材
７０ バッテリ蓋（蓋体）